(57)【特許請求の範囲】
【請求項１】
鉄塔の腕金の両端の各側に支持されたがい子装置の先端のバランスヨークに、上下左右に間隔をおいて４条の電線の各一端を引き留めたこれらの電線を、吊金工法を用いて新規な電線に張り替える工法において、
送電を停止した側の取り替える既設の電線の上下２条ごとに電線全長にわたって反転式の吊り金車を間隔を空けて多数取りつけ、
取り替える既設の電線の両端部の上記バランスヨークごとに、配列ヨーク取り付け金具をそれぞれ固定し、これらの各配列ヨーク取り付け金具の先端に略水平な板状の配列ヨークを取り付け、
取り替える既設の電線のうち下部の２条の電線を上記バランスヨークから外し、上記腕金の他側の電線と緊張を解いた状態で結合し、上記反転式の吊り金車に支持させて新設の電線に取り替え、
これらの新設の電線の各両端をそれぞれ上記各配列ヨークの外端部に取り付けて、当該２条の新設の電線の間隔を広げ、この状態で上記取り替える既設の上部の２条の電線の緊張を緩めて各吊り金車を反転させて新設の電線に垂下させ、これらの２条の既設の電線を各吊り金車に支持させて新設の電線に取り替えた後、上記とは逆の順序で上記バランスヨークの元の位置に戻して固定することを特徴とする、送電線の張替え工法。
【発明の詳細な説明】
【０００１】
【発明の属する技術分野】
この発明は、鉄塔の腕金の両端の各側に支持されたがい子装置の先端のバランスヨークに、上下左右に間隔をおいて４条の電線の各一端を引き留めたこれらの電線を、がい子装置を取り付けたまま、吊金工法を用いて新規な電線に張り替える工法に関するものである。
【０００２】
【従来の技術】
図１１及び１３に示すように、鉄塔の腕金５１の両側各側に支持されたがい子装置５２の先端のバランスヨーク５３に、上下左右に間隔をおいて４条の電線５４の各一端を引き留めたこれらの電線５４を、新規な電線に張り替える場合、取り替える既設の電線５４の左右の各上下２条の電線全長にわたって反転式の吊り金車５５を間隔を空けて多数取りつけ、図１２に示すように、上記腕金の両側各側に支持されたがい子装置５２を撤去して当該腕金５１に４個のアルミ金車５６を吊るし、上下左右の既設の各電線５４の緊張を解いて上記各アルミ金車５６に移し替え、各上部の既設の電線５４を親線として、各下部の既設の電線５４を、多数の反転式の吊り金車５５に通して引き抜き、これらの下部の既設の電線５４の後端に接続した新設の電線を延線し、これらの新設の電線を仮留めする。次に、上部の既設の電線５４の緊張を解くと反転式の各金車５５が反転して、上記２条の新設の電線を親線として上部の既設の電線５４が各反転式の吊り金車に支持されて垂下する。この状態で上記と同様に上部の既設の電線５５を撤去し、新設の電線を延線する。そして、鉄塔の腕金５１から上記アルミ金車５６を外し、がい子装置５２を取り付け、当該がい子装置５２にバランスヨーク５３を介して新設の電線を引き留め、上記反転式の吊り金車５５を回収して、作業を完了する。
【０００３】
【発明が解決しようとする課題】
この工法の場合、上下左右に間隔をおいて配設した４条の電線５４において、図１３に示すように、上部の２条の電線５４と下部の２条の電線５４とが上下入れ替わるため、この線交わし作業の際、これらの電線が相互に当たって、損傷を与えたり、絡みによる作業中断等が生じるため、作業に細心の注意と長時間とを要した。また、腕金５１に一側に４個のアルミ金車５６を吊るすため、がい子装置５２が邪魔となり、作業中これらをいったん地上に撤去しなければならない。送電線は、通常、６０〜７０ｍの高さのものが多く、また、がい子装置の重量は約１トンもあるため、地上へ降ろした後、再度上げることに、多大の時間を要した。
そこで、上記工法に替えて、４条の電線を横に広げ、鉄塔の腕金の一側に横に並べて吊るした４個のアルミ金車に掛け、この状態で４条の電線を新設の電線に張り替える工法もあるが、これらの４条の電線を横に広げると、腕金の他側の活線に電線が近づくことになり、強風に電線があおられて、上記活線に接触するおそれがある。
【０００４】
この発明は、これらの点に鑑みて為されたものであり、上下の電線の線交わしの際、電線同士が接触したりせずに容易に線交わしができ、また、隣接の活線に電線が接触する恐れが無く安全で作業性の良い張替え工法を提供するものである。
【０００５】
【課題を解決するための手段】
請求項１項の発明は、鉄塔の腕金の両端の各側に支持されたがい子装置の先端のバランスヨークに、上下左右に間隔をおいて４条の電線の各一端を引き留めたこれらの電線を、吊金工法を用いて新規な電線に張り替える工法において、
送電を停止した側の取り替える既設の電線の上下２条ごとに電線全長にわたって反転式の吊り金車を間隔を空けて多数取りつけ、
取り替える既設の電線の両端部の上記バランスヨークごとに、配列ヨーク取り付け金具をそれぞれ固定し、これらの各配列ヨーク取り付け金具の先端に略水平な板状の配列ヨークを取り付け、
取り替える既設の電線のうち下部の２条の電線を上記バランスヨークから外し、上記腕金の他側の電線と緊張を解いた状態で結合し、上記反転式の吊り金車に載せて引き抜き、新設の電線に取り替え、
これらの新設の電線の各両端をそれぞれ上記各配列ヨークの外端部に取り付けて、当該２条の新設の電線相互の間隔を広げ、この状態で上記取り替える既設の上部の２条の電線の緊張を緩めて各吊り金車を反転させて新設の電線に垂下させ、これらの２条の既設の電線を上記反転式の吊り金車に載せて引き抜き、新設の電線に取り替えた後、上記とは逆の順序で上記バランスヨークの元の位置に戻して固定する、送電線の張替え工法とした。
【０００６】
【発明の実施の形態】
以下この発明の実施の形態例を図に基づいて説明する。
図２に示すように、鉄塔の腕金１の両側各側に支持されたがい子装置２の先端に、バランスヨーク３が支持され、このバランスヨーク３の上下左右に間隔をおいて４条の電線４の各一端を引き留めている。図示は省略するが、これは、鉄塔毎にこの構成がなされ、各電線４は、その両端で引き留められ、これらの引き留め箇所でジャンパー線により次の電線に電気的に接続されている。
次にこれらの電線４を、新規な電線に張り替える工法を説明する。図２に示すように、取り替える既設の電線４への送電を停止した後、電線４の左右の各上下２条の電線全長にわたって反転式の吊り金車５を間隔を空けて取りつける。これらの吊り金車５は図示のように、吊ロープ５ａの両端に３輪型吊金車５ｂを設け、これらの３輪型吊金車５ｂの一方を上部の電線４に、他方を下部の電線４に掛け、多数の各吊り金車５相互を、吊ロープ５ａの中ほどに固定した曳行ロープ５ｃで繋げたものである。
【０００７】
また、図７及び８に示すように、上記バランスヨーク３に取り付け金具６を固定し、この取り付け金具６の先端に略水平な板状の配列ヨーク７を取り付ける。次に、取り替える既設の電線のうち、下部の２条の既設の電線４の両端をバランスヨーク３から外して、図３に示すように、腕金１の右側の電線と接合線を介して結線した後、腕金１に吊るした２個のアルミ金車８にそれぞれ載せ替え、下部の２条の既設の電線４の緊張を解く。これにより図４に示すように、上部の２条の既設の電線４を親線として各吊り金車５の下方の３輪型吊金車５ｂに下部の２条の既設の電線４を支持させる。この状態で下部の２条の既設の電線４を一端からウインチ等通常の方法で引き抜き、続いてこれらの既設の電線４の各後端に接続した新規な電線を各吊り金車５に支持させて延線する。この２条の新規な電線の延線後、図５に示すように、当該新規な２条の電線４´の両端部をそれぞれ上記配列ヨーク７の外端部に取り付け、仮留めをする。これにより当該新規な電線４´の相互の間隔は広がるが、図５のように、右側の電線４´は電線４の外側へ張り出したような状態となるため、鉄塔の反対側の活線と接触する恐れはない。
【０００８】
次に、上部の２条の電線４の両端部を上記バランスヨーク３から外し、図１に示すように、腕金１の一側に吊るしたアルミ金車８に載せ替え、緊張をゆるめる。これにより図６に示すように、上記各吊り金車５が反転し（下方外側へ降下）、上記配列ヨーク７の外端部に仮留めし相互の間隔を大きく開けた２条の新規な電線４´の下方に吊り金車５がそれぞれ垂下する。そして、これらの各吊り金車５に支持された既設の電線４を一端からウインチ等通常の方法で引き抜き、続いてこれらの既設の電線４の後端に新規な電線４´を接続して各吊り金車５に２条の新規な電線４´を支持させて延線する。この延線後、当該新規な４条の電線４´の各端部を上記順序とは逆の順序で上記バランスヨーク３の元の位置に戻して固定し、上記配列ヨーク及び多数の吊り金車５を回収するものである。
【０００９】
図９は、上記工法で使用した配列ヨーク取り付け金具６を示し、棒ネジ６ａの一端に先端アイ６ｂを固定し、この先端アイ６ｂに隣接して、棒ネジ６ａに第１セットクランプ６ｃを摺動自在に被冠し、また、この第１セットクランプ６ｃに対向して、棒ネジ６ａに第２セットクランプ６ｄを摺動自在に被冠し、更に、この第２セットクランプ６ｄの外側の棒ネジ６ａに二つのナット６ｅを螺着し、当該棒ネジ６ａの他端に割りピン６ｆを設けて、上記ナット６ｅ等の棒ネジ６ａからの脱落を防止している。そして、上記第１セットクランプ６ｃ及び第２セットクランプ６ｄの一側の鍵型部６ｇにそれぞれクランプボルト６ｈを設けている。この配列ヨーク取り付け金具６は、図７及び８に示すように、上記バランスヨーク３の縦板の両端に第１セットクランプ６ｃ及び第２セットクランプ６ｄを掛けてナット６ｅを締め付け、各クランプボルト６ｈで当該縦板の側面を締め付けることにより、上記バランスヨーク３に固定する。
【００１０】
また、図１０は、上記配列ヨーク７を示すもので、横長の板状体７ａの前端部（図では下方）に、間隔をあけて多数の透孔７ｂを穿ち、これらの透孔７ｂを介して新設の電線等を引き留めるものである。また、板状体７ａの後端部（図では上方）の中央部に穿った複数の透孔７ｃの任意の二つに、上記２個の各配列ヨーク取り付け金具６の各先端アイ６ｂに一端を取り付けた適宜の接続部材９の他端を接続するものである（図７及び８参照）。
【００１１】
この工法は、５、６基の鉄塔間で一度に行い、各鉄塔の腕金の各がい子装置の先端のバランスヨークに配列ヨークをそれぞれ取り付け、５、６基の鉄塔間で一度に上部の２条の既設の電線を親線として下部の２条の既設の電線を引き抜き、この既設の電線の後端に接続した新設の電線を延線する。そして、新設の電線は、両端の鉄塔はもちろん、中間の各鉄塔の各配列ヨーク箇所でそれぞれ引き留め、これらの新設の電線を親線として２条の既設の電線を支持し、新設の電線に取り替えるものである。
【００１２】
【発明の効果】
請求項１の発明の張替え工法では、常に２条の電線を張ったまま行うので、鉄塔の強度上の問題はなく、鉄塔は現状のままで作業が行える。また、この工法の作業の間もがい子装置を用いて常に２条の電線を緊張、支持させているため、当該工事の際、がい子装置を地上に撤去し、張替え後に再び鉄塔の腕金に吊るす作業が不要となる。さらに、上下左右に配列された４条の電線のうち、まず、下部の２条の電線の相互の間隔を配列ヨークを用いて広げた後、この状態でこれらの２条の電線を親線として他の２条の電線を反転させて垂下させ、他の２条の電線を引き抜き、続いて新設の電線に取り替えるため、電線相互が接触するおそれがなくなり、線交し作業が極めて容易である。つまり、上部の電線と下部の電線という上下関係からいったん横列関係に変更して、線交わしするので、電線の張替え工事全体が、簡素化し、かつ、迅速に行え、作業効率を向上させるものである。また、この工法では、５〜６基の鉄塔間の電線を一度に交換できるため、鉄塔ごとに設置されているがい子装置を６０〜７０ｍ下の地上まで撤去し、また、上まで上げて取り付けるという作業を省略でき、その作業時間の短縮は工期短縮、コストダウン等に大いに貢献するものである。
【図面の簡単な説明】
【図１】この発明の実施の形態例の第３工程を示す斜視図であり、具体的には、バランスヨークに取り付けた配列ヨークに２条の新規な電線端を引き留め、この新規な電線を親線として２条の既設の電線を引き抜く第３工程を示すものである。
【図２】この発明の実施の形態例の第１工程を示す斜視図であり、具体的には、上下左右の既設の電線の、左右それぞれの上下の電線に反転式の吊り金車を取り付ける第１工程を示すものである。
【図３】この発明の実施の形態例の第２工程を示す斜視図であり、具体的には、下部の２条の電線をバランスヨークから外して、アルミ金車に乗せ替える第２工程を示すものである。
【図４】この発明の実施の形態例における、上部の電線を親線として、各反転式の吊り金車に下部の電線を吊り下げた状態を示す断面説明図である。
【図５】この発明の実施の形態例における、下部の新規な電線を配列ヨークの両外端に固定させ、これらの新規な電線相互の間隔を広げた状態を示す断面説明図である。
【図６】この発明の実施の形態例における、配列ヨークの両外端に固定させた新規な電線を親線として、上部の既設の電線を各反転式の吊り金車に支持させた状態を示す断面説明図である。
【図７】この発明の実施の形態例における、バランスヨークの先端に配列ヨークを取り付けた状態を示す斜視図である。
【図８】この発明の実施の形態例における、バランスヨークの先端に配列ヨークを取り付けた状態を示す要部拡大斜視図である。
【図９】この発明の実施の形態例に使用する、配列ヨーク取り付け金具の平面図である。
【図１０】この発明の実施の形態例に使用する、配列ヨークの平面図である。
【図１１】従来例の工法における第１工程を示す斜視図である。
【図１２】従来例の工法における第２工程を示す斜視図である。
【図１３】この発明及び従来例が適用される４条の電線の配列状態を示す説明断面図である。
【符号の説明】
１    鉄塔の腕金                  ２    がい子装置
３    バランスヨーク              ４    電線
５    反転式の吊り金車            ６    配列ヨーク取り付け金具
７    配列ヨーク                  ８    アルミ金車
９    接続部材
【図１】
0003723482.tif 000002
【図２】
0003723482.tif 000003
【図３】
0003723482.tif 000004
【図４】
0003723482.tif 000005
【図５】
0003723482.tif 000006
【図６】
0003723482.tif 000007
【図７】
0003723482.tif 000008
【図８】
0003723482.tif 000009
【図９】
0003723482.tif 000010
【図１０】
0003723482.tif 000011
【図１１】
0003723482.tif 000012
【図１２】
0003723482.tif 000013
【図１３】
0003723482.tif 000014